(57)【要約】【課題】個別に交換可能な空気フィルタを備える手乾燥装置を提供すること。【解決手段】本発明は、手乾燥装置の空気出口を通って排出される空気流によってユーザの手を乾燥させる手乾燥装置に関する。空気流は、モータ駆動ファンユニットによって発生される。手乾燥装置は、複数の吸気口を備えており、吸気口は、ファンユニットに接続される複数の平行な吸気通路を形成する。各吸気通路は、別個のエアフィルタを備える。空気フィルタは、必要に応じて、個々の交換品と交換可能である。【選択図】図４
2014100578.tif 000002
【特許請求の範囲】
【請求項１】
手乾燥装置の空気出口を通って排出される空気流によってユーザの手を乾燥させる手乾燥装置であって、前記空気流は、モータ駆動ファンユニットによって発生され、前記手乾燥装置は、複数の吸気口を備え、前記吸気口は、前記ファンユニットに結合されて複数の平行な吸気通路を形成し、前記吸気通路の各々は、別個のエアフィルタを備え、前記フィルタは、前記ファンユニットの周りに配置される、手乾燥装置。
【請求項２】
前記フィルタは、必要に応じて個別に交換可能なフィルタである、請求項１に記載の手乾燥装置。
【請求項３】
前記フィルタの各々は、該フィルタに流入する前記空気流のためのフィルタ入口と、前記フィルタを介して前記フィルタ入口に接続される、前記フィルタを流出する前記空気流のためのフィルタ出口とを有し、前記フィルタ入口及び前記フィルタ出口は、見通し線が前記入口及び前記出口を通るのを防止するように、オフセットしている、請求項１又は２に記載の手乾燥装置。
【請求項４】
前記フィルタは、平坦である、請求項１から３のいずれかに記載の手乾燥装置。
【請求項５】
前記フィルタは、各平面が互いに向き合うように配置される、請求項４に記載の手乾燥装置。
【請求項６】
前記フィルタは、実質的に平行平面に配置される、請求項５に記載の手乾燥装置。
【請求項７】
前記フィルタは、前記ファンユニットに隣接して配置される、請求項１に記載の手乾燥装置。
【請求項８】
前記手乾燥装置は、該乾燥装置一方側（該乾燥装置を前面から見た場合）の吸気口と、該乾燥装置の反対側の吸気口とを備え、前記エアフィルタのそれぞれは、前記ファンユニットのそれぞれの側面に配置されており、外側フィルタカバーが前記フィルタの各々と関連し、前記外側フィルタカバーは、前記フィルタと前記吸気口のそれぞれとの間に配置され、内側フィルタカバーが前記フィルタの各々と関連し、前記内側フィルタカバーは、前記フィルタのそれぞれと前記ファンユニットとの間に配置され、前記外側カバーは、前記フィルタのそれぞれに関するフィルタ入口を規定し、前記内側カバーは、前記フィルタのそれぞれに関するフィルタ出口を規定し、それぞれの前記ファン入口及び前記ファン出口は、見通し線がそれぞれの前記ファン入口及び前記ファン出口を通るのを防止するように、オフセットしている、請求項１に記載の手乾燥装置。
【請求項９】
前記フィルタは、平坦であり、各平面は、互いに向き合うように配置される、請求項８に記載の手乾燥装置。
【発明の詳細な説明】
【技術分野】
【０００１】
本発明は、手乾燥装置の分野に関する。
【背景技術】
【０００２】
様々なデザインの手乾燥装置が市販されており、ペーパタオルに代わるものとして公共の洗面所に設置されている。
【０００３】
手乾燥装置は、空気流に依存してユーザの手を乾燥させる。空気流は、典型的には手乾燥装置の１つ又はそれ以上の空気出口を通って排出され、ユーザは、手を空気出口の近くに保持することで、空気流がユーザの手に向けられて乾燥作用をもたらすようになっている。
【０００４】
主要な乾燥メカニズムは、異なる形式の手乾燥装置で異なる場合がある。乾燥メカニズムは、蒸発によるものとすることができ、その場合、空気流は加熱されることになる。もしくは、乾燥メカニズム、主として手の表面での運動量乾燥作用に依存することができ、その場合、空気流は高速で（８０ｍ／ｓを超えて、典型的には１４０ｍ／ｓを超えて）排出されることになる。
【０００５】
各場合において、空気流は、手乾燥装置の内部に配置されたモータ駆動ファンユニットを利用して発生させる場合が多い。空気は手乾燥装置の外側ケースの吸気口を通ってファンユニット内に引き込まれる。空気はエアフィルタを使用してファンユニットの上流側でフィルタ処理されるので、空気出口を通って排出される空気はフィルタ処理された空気である。これにより、手乾燥装置はユーザにとってより衛生的なものとなる。
【発明の概要】
【課題を解決するための手段】
【０００６】
本発明によれば、手乾燥装置の空気出口を通って排出される空気流によりユーザの手を乾燥させる手乾燥装置が提供され、空気流は、モータ駆動ファンユニットにより発生され、手乾燥装置は、複数の吸気口を備え、吸気口は、ファンユニットに接続されて複数の平行な吸気通路を形成するようになっており、吸気通路の各々は、別個のエアフィルタを備え、フィルタは、ファンユニットの周りに配置される。
【０００７】
本発明によれば、手乾燥装置は、複数の平行な吸気通路を利用する。それぞれの吸気通路の各々は、別個のエアフィルタを備える。複数のエアフィルタを設けることは、個々のフィルタの物理的サイズを、同等の単一フィルタに比較して制限できること意味し、複数のエアフィルタを手乾燥装置の内部に空間効率の良い方法でパッケージ化することができることを意味する。これは手乾燥装置の全体サイズを小さくのに役立つ。現在、米国の特定の規則では、特定の場合、壁掛け式手乾燥装置は壁面から突出可能な範囲が制限されているので、これは、壁掛け式手乾燥装置の奥行きを制限するために使用する場合に特に有用である。
【０００８】
フィルタは、平面状としてもよく、カセット式の湾曲平面又は真っ直ぐな（「平坦な」）平面を含む。
【０００９】
特定の空間効率の良い構成において、２つ又はそれより多くのフィルタが、各平面が互いに向き合うように配置されてもよい。例えば、フィルタは、ファンユニットの反対側で互いに向き合うように配置されてもよい（場合によっては平面が平行なペアとして）。
【００１０】
フィルタは、個別に交換可能であってもよい。このことは、全てではなく一部のフィルタを必要に応じて交換することができるので廃棄物が減るという利点がある。
【００１１】
フィルタは、ファンユニットの周りに配置される。ファンユニットが円筒形である場合、湾曲平面のフィルタが適切な場合があるが、それでも、平坦な平面フィルタは、構成の簡素化のためには好ましい場合がある。
【００１２】
フィルタは、ファンユニットの近くに配置されてもよい。
【００１３】
フィルタの各々は、フィルタに流入する空気流のためのフィルタ入口と、フィルタを経由してフィルタ入口に接続され、フィルタから流出する空気流のためのフィルタ出口と、を含むことができる。フィルタ入口及びフィルタ出口は、見通し線が入口及び出口を通る（フィルタ自体がないと仮定して）のを防止することができるように、オフセットしていてもよい。これは、騒音がファンユニットからフィルタを通って逆行して伝達されることを防止するのを助けるが、それでもフィルタを通る空気流の通路は可能になっている。
【００１４】
特定の実施形態において、各吸気口は、手乾燥装置の反対側に設けられ（正面から見た場合）、それぞれのフィルタは、ファンユニットのそれぞれの側面で互いに向き合って配置さる。各フィルタは、フィルタの外側面（フィルタとそれぞれの吸気口との間）に外側フィルタカバーを備えていてもよい。このフィルタカバーは、フィルタ入口を規定する１つ又はそれ以上の開口を含んでいてもよい。各フィルタは、フィルタの内側面（フィルタとファンユニットとの間）に内側フィルタカバーを追加的に備えていてもよい。内側フィルタカバーは、フィルタを介してフィルタ入口へ結合される、フィルタ出口を規定する１つ又はそれ以上の開口を含んでいてもよい。開口は、それぞれのカバーに配置されていかなる見通し線がフィルタを通るのも防止することが好ましく、フィルタ入口をフィルタ出口に接続する空気通路は複雑に入り組んだ通路となっている。同様に、このことは、フィルタ及び吸気口を通って逆行する、ファンユニットの外部騒音伝達を低減するのを助ける。
【００１５】
手乾燥装置は、空気出口がエアナイフ排出口である、エアナイフ式手乾燥装置の形態であってもよい。エアナイフ排出口は、１つ又はそれより多くのスリット状の排出開口を備えていてもよい。エアナイフ排出口は、好ましくは、ユーザの手の全幅にわたって広がるように構成され、例えば、出口は８０ｍｍ又はそれ以上の長さを有していてもよい。
【００１６】
空気出口を通る空気流の出口速度は、８０ｍ／ｓを超えてもよい。
本発明の実施形態は、以下に例示的に添付図面を参照して説明される。
【図面の簡単な説明】
【００１７】
【図１】本発明による手乾燥装置を示す平行射影図である。
【図２】同じ手乾燥装置の逆の角度からの平行射影図である。
【図３】手乾燥装置の前面図であり、使用時に手乾燥装置の空気出口を通る空気流の排出を示す。
【図４】手乾燥装置の前面図であるが、外側ケースが切り取られ、手乾燥装置の様々な内部構成要素が示されている。
【図５】図４に対応する平行射影図である。
【図６】隠し板が取り除かれた手乾燥装置の平行射影図であり、手乾燥装置のバックプレート上の様々な内部構成要素の取り付け状態を示す。
【図７】手乾燥装置の様々な内部構成要素、特に主要な空気流通路内のエアフィルタを示す平行射影図である。
【図８】図７に対応する図であるが、フィルタは取り除かれている。
【図９】図８に対応する平行射影図であるが、部分的に切り取られてモータバケット内のファンユニット及び膨張式マウントが示されている。
【図１０】図９に対応する平行射影図であるが、逆の角度からの図である。
【図１１】図９に対応する平行射影図であるが、モータバケットが完全に取り除かれて、ファンユニット用の複数の点マウントが示されている。
【図１２】手乾燥装置の特定の内部構成要素、特にファンユニットと、膨張式マウントの断面を示す部分断面図である。
【図１３】ファンユニットの分解図であり、ファン軸線に沿って配置されたインペラ及び環状ファン出口を形成するディフューザを示す。
【図１４】ファンユニットを取り付けるために使用される手乾燥装置の内部構成要素の平行射影図である。
【図１５ａ】ファンユニットに直接加わる噴出推力の概略図である。
【図１５ｂ】ファンユニットに直接加わる正味圧力の概略図である。
【図１６ａ】ファンユニットを支持する膨張式マウントに直接加わる噴出推力の概略図である。
【図１６ｂ】膨張式マウント上に直接加わる正味圧力の概略図である。
【図１７】図１６ｂにおけるオリフィス面積ａの関数として圧力ＦΔP（Ｄｕｃｔ）及び噴出推力ＦΔM（Ｄｕｃｔ）を示したグラフである。
【発明を実施するための形態】
【００１８】
手乾燥装置
図１から図３は、本発明による壁掛け式手乾燥装置１を示す。
【００１９】
手乾燥装置１は、空気流を排出してユーザの両手を乾燥させる。空気流は、手乾燥装置１上の２つの空気出口３、５を通って高速（＞８０ｍ／ｓ）で排出される。各出口３、５は、エアナイフ排出口の形態であり、この場合、手乾燥装置１の外側ケース７に直接機械加工される、幅２ｍｍ未満の狭いスリットである。従って、空気流は、２つの薄い高速の空気シート（図３）又は「エアナイフ」３ａ、５ａとして排出される。
【００２０】
手乾燥装置１の作動モードは、生産品の表面からごみ又は液体を取り除く産業分野で一般的なエアナイフの使用方法に類似しており（例えば、エアナイフを使用してガラスシートからごみを取り除くことを記載した欧州特許公開第２３９４１２３号を参照）、エアナイフの各々は、それぞれの手の表面を横切って移動し、エアナイフは、移動する際に手の表面から水をぬぐい落とすか又はこすり落とす。
【００２１】
手は、手のひらを開いた状態でエアナイフ排出口３、５の下側に一つの手が各出口の下方となるように挿入して、次に、ゆっくり引っ込めて、手とエアナイフとの間に所要の相対移動を生じるようにする。この行為を手の両面に対して繰り返す。手乾燥装置１がより快適に使用できるように、エアナイフ排出口３、５は、ドライヤ１の前方から見るとＶ字形に配置される（図３）。これは、使用時の前腕の過剰な回外運動を防止するのに役立つ。
【００２２】
空気流は、遠心ブロワ（又は圧縮機）９の形態のモータ駆動ファンから発生する。遠心ブロワ９は、手乾燥装置１の外側ケース７の内部のモータバケット１１に収容される。遠心ブロワ９及びモータバケット１１は図９に示されている。
【００２３】
２つのエアフィルタ付き吸気口
空気流は、遠心ブロワ９によって、手乾燥装置１の外側ケース７の２つの吸気口１３、１５を介して引き込まれる。一方の吸気口１５は図１に示され、他方の吸気口１３は図２に示されている。両方の吸気口は図４で示されており、また、図４には各吸気口の内側に一連のシュラウドフラップ１７が示されている。シュラウドフラップは、吸気口１３、１５を介して異物が差し込まれるのを防止するのに役立つことが意図されている。
【００２４】
吸気口１３、１５は、モータバケット１１の両側に設けられた２つの矩形かつ平面状のＨＥＰＡフィルタ１９を介して、モータバケット１１に送り込む。各フィルタ１９は、それぞれの内側フィルタカバー２１と外側フィルタカバー２３との間に挟持される。従って、各フィルタ１９は、モータバケット１１の両側に平行平面構成で配置される。
【００２５】
いずれの場合にも、内側フィルタカバー２１は、モータバケット１１の一部を形成する矩形カバーである。フィルタ１９は、この内側カバーにクリップ留めされる硬質のフレームを有する（クリップ２５は、図４に示される）。内側フィルタカバー２１には、２つの開口、つまり上方の円形開口２７及び下方の略矩形の開口２９が設けられている。これらの２つの開口２７、２９は、フィルタ出口を効果的に形成し、それぞれのフィルタ１９を出た空気はここを通ってモータバケット１１に流入する。
【００２６】
外側カバー２３は、それぞれのフィルタ１９のフレームの外側にクリップ留めされた別個の矩形カバーである。外側カバー２３には２つの平行な矩形スロット３１が形成されている。これらの２つのスロット３１はフィルタ入口を効果的に形成し、吸気口１３、１５からの空気はここを通ってそれぞれのフィルタ１９に流入することができる。
【００２７】
フィルタ１９及び外側カバー２３は、フィルタ１９の上流面と外側カバー２３との間に空間又はマニホールドが存在するように構成される。これは、使用時に、フィルタ１９が不均一に装着されるのを防止するのに役立つ。同様に、内側フィルタカバー２１は、フィルタ１９の下流面にわたる空間又はマニホールドを形成することができる。
【００２８】
各場合において、フィルタ入口及びフィルタ出口は一緒になってモータバケット１１の内部にブロワ９への吸気通路を形成する。従って、２つの平行な吸気通路が存在し、２つの空気フィルタ１９の各々に１つの吸気通路が通っている。
【００２９】
各場合において、フィルタ入口は、フィルタ出口からオフセットしており、それにより、フィルタ出口及びそれぞれのフィルタ入口を通る見通し線が存在せず、つまり、内側カバー２１の下方の矩形開口２９は、それぞれのフィルタ入口を形成する垂直方向スロット３１の少し下方に位置決めされ、一方で上方の円形開口２７は、それぞれのフィルタ入口を形成する垂直方向スロット３１の間に位置決めされる。実際には、ブロワ９への吸気通路の各々は、それぞれのフィルタ１９を通る複雑に入り組んだ通路をたどる。
【００３０】
フィルタ１９は、個別に交換可能であり、各フィルタは、単に内側カバー２１からクリップを取り除くことによって取り外し可能であり、取り外した状態で、新しいフィルタを内側フィルタカバー２１の適所にクリップ留めすることができる（また、外側カバー２３は、クリップを取り除いて再使用、又は使い捨てすることができる）。
【００３１】
ファンユニットのためのソフトマウント装置
図１３は、遠心ブロワ９の分解図を示す。遠心ブロワ９は、電気モータ（図示せず）を組み込んだ駆動ユニット３３、モータの出力軸に結合する遠心ファンインペラ３５、及びディフューザ３７を備える。ディフューザは、静圧回収のための多数の旋回ベーンを組み込んだディフューザリング３９と、ディフューザリング３９上に嵌合し、矢印で示すように、遠心ファンインペラ３５からの空気流を、環状ファン出口４１ａを通って外に通すディフューザキャップ４１とを備える（図１３には示されていないが、使用時、空気流にはファン出口４１ａを離れる際にある程度の残余旋回が残る場合がある）。
【００３２】
遠心ブロワ９は、モータバケット１１の内部で垂直方向にソフトマウント(soft-mounted)されており、ファン出口４１ａは下方を向き、インペラ３５の回転軸線Ａは垂直方向に延びている。
【００３３】
遠心ブロワ９のソフトマウント装置は、上側ソフトマウント組立体及び下側ソフトマウント組立体を含む。
【００３４】
下側ソフトマウント組立体は、遠心ブロワ９の下側で端から端まで延びる弾性ダクト４３の形態である。ダクト４３は漏斗状であり、（ファン出口４１ａに隣接する）上部において比較的大きな断面を有するが、テーパー付けされて下部では比較的小さな断面を有する。
【００３５】
ダクト４３の上端は、ディフューザ３７の周りにスリーブのように嵌合し、ケーブル結合部（図示せず）を使用して所定位置にクランプ留めされる。
【００３６】
膨張式ダクト４３の下端はベースプレート４５に固定され、これは乾燥装置の主バックプレート４８（図６参照）にハードマウント(hard-mounted)されて耐荷重支持を可能にする。
【００３７】
ベースプレートは図１４に示されている。ベースプレートは、取り付けプラットフォーム４９によって取り囲まれた中央結合ダクト４７を備える。膨張式ダクト４３の下端は、結合ダクト４７への入口部の周りに着座し、留めリング５１（図１１）によって取り付けプラットフォーム４９に固定されている。この留めリング５１は、取り付けプラットフォーム４９上にネジ止めされており（ネジボス５３は、図１４に示されている）、膨張式ダクトの下端の一部を形成するフランジ４３ａを締め付けるが、同時に留めリング５１と取り付けプラットフォーム４９との間の圧縮シールとしても作用する。
【００３８】
上側ソフトマウント組立体は、弾性円錐形支持部材５５の形態の４つの「点マウント」を備える。
【００３９】
支持部材５５の各々の１つは、基部においてモータバケット１１に取り付けられ、支持部材５５の円錐頂点が遠心ブロワ９の外側ケースと接触するように、インペラの回転軸線Ａに対して半径方向内向きに延びている。従って、上側ソフトマウント組立体は、遠心ブロワ９の外側ケースへの４つの「点接触」をもたらし、１つの点接触が４つの支持部材５５の各々に対応する。
【００４０】
Ｖ字形のマニホールド５７が設けられ、空気流を２つのエアナイフ排出口３、５へ分配するようになっている。マニホールド５７は、エアナイフ排出口３、５の上部を覆うようにケーシング７の内面にネジ止めされる。弾性ガスケット５９が使用され、マニホールド５７と手乾燥装置のケーシングとの間に圧縮シールを形成するようになっている。
【００４１】
マニホールド５７は、可撓性ホース６１を介してベースプレート４５の結合ダクト４７の下端に結合され、ベースプレート４５とマニホールド５７との間の組立許容誤差を吸収することが意図されている。可撓性ホース６１の一端は、結合ダクト４７の下端に押し込まれて押圧嵌合し、同様に、可撓性ホース６１の他端は、マニホールド５７の一部を形成する入口ダクト６１ａに押し込まれて押圧嵌合する。ケーブル結合部は（図示せず）、可撓性ダクト６１の各端部に使用することができ、可撓性ダクト６１を所定位置に保持するようになっている。
【００４２】
エアナイフ排出口３、５の総面積は、環状ファン出口４１ａの面積に比べて相対的に小さい。その結果、エアナイフ排出口３、５は、環状ファン出口４１ａの下流で主空気流通路に著しい流れ制限部を形成する。従って、遠心ブロワ９の始動時に、遠心ブロワ９の下流で著しい静圧上昇が生じる。これにより、膨張式ダクト４３を加圧するように作用し、結果的に遠心ブロワ９のための空気圧式支柱として機能して、遠心ブロワ９の変位を制限して、モータのアンバランス等で引き起こされるモータ振動を減衰させるのを助ける。
【００４３】
主空気流は、遠心ブロワ９の始動時に膨張式ダクト４３を加圧するために使用されるので、装置は比較的単純であり、ブリード通路、バルブ、又は別個の空気圧回路は必要ない。
【００４４】
所定のブロワ仕様に関して、膨張式ダクト４３の加圧速度は、ファン出口４１ａと空気出口３、５との間の有効容積（作動容積）、及び空気出口１３、１５の総面積（「排出面積」）に依存することになる。その結果、一般的に膨張式マウント４３の加圧は、一般的に排出面積が比較的小さいであろうエアナイフ乾燥器ではより急速になるであろう。ここでは、マウントは所定の作動容積に対して非常に急速に膨張することができるので、非常に素早い初期減衰応答が可能となる。
【００４５】
使用時に、支持部材５５は、遠心ブロワ９に対する効果的な横方向支持を可能とする（遠心ブロワ９の軸方向変位に対する支持は、膨張式マウント４３によってほぼ完全に提供される）。同時に、支持部材５５は、駆動ユニット３３とモータバケット１１との間の接触面積を著しく制限することによって、外部振動伝達を低減する。
【００４６】
支持部材５５及び膨張式マウント４３は一緒になって、手乾燥装置１の外部部品への騒音伝達を低減する、遠心ブロワ９に対する有効なソフトマウント装置を形成する。
【００４７】
膨張式マウント
使用時に、駆動ユニット３３のブロワ入口３３ａ（図１０）とファン出口４１ａとの間には、ブロワ９前後の運動量差ΔＭBlowerが存在することになる。これは、図１５ａに概略的に示されている。この運動量差ΔＭBlowerに加えて、ファン出口の下流の作動容積の加圧の結果として、吸気口とファン出口との間には著しい静圧差ΔＰBlowerが存在する。これは、図１５ｂに概略的に示されている。
【００４８】
運動量差ΔＭBlowerは、ブロワ９を垂直方向上向きに押しやる傾向がある「噴出推力（ｊｅｔ  ｔｈｒｕｓｔ）」ＦΔP（Ｂｌｏｗｅｒ）を引き起こす。
【００４９】
圧力差ΔＰBlowerは、ファン出口４１ａに隣接する膨張式ダクト４３のベクトル面積に有効に対応するディフューザキャップ４１のベクトル面積Ａに作用し、結果的に正味上向き圧力ＦΔP（Ｂｌｏｗｅｒ）＝ΔＰBlowerＡをブロワ９に与える。この圧力は、同様にブロワ９を垂直方向上向きに押しやる傾向がある。
【００５０】
ブロワ９に与えられる噴出推力ＦΔM（Ｂｌｏｗｅｒ）及び圧力ＦΔP（Ｂｌｏｗｅｒ）は、ブロワ９をベースプレート４５に固定する加圧された膨張式ダクト４３によって阻止される。次に、これは膨張式ダクト４３をベースプレート４５に固定する留めリング５１に応力を加える。
【００５１】
また、ブロワ吸気口と膨張式ダクト４３の下端との間には、運動量差ΔＭDuct及び圧力差ΔＰDuctが存在することになる。これは、図１６ａ及び図１６ｂに示されている。
【００５２】
この場合、運動量差ΔＭDuct及び圧力差ΔＰDuctは、力を、ブロワ９に直接加えるのではなく、膨張式ダクト４３に直接加えるように作用する。
【００５３】
図１６ａを参照すると、運動量差ΔＭDuctは、留めリング５１に逆らって膨張式ダクト４３を上向きに押す傾向がある、噴出推力ＦΔM（Ｄｕｃｔ）を引き起こす。
【００５４】
図１６ｂを参照すると、圧力差ΔＰDuctは、結合ダクト４７のベクトル面積ａに作用し、結果的に膨張式ダクト４３に正味上向き圧力ＦΔP（Ｄｕｃｔ）＝ΔＰａを与える。これは、同様に留めリング５１に逆らって膨張式ダクト４３を上向きに押す傾向があり、留めリング５１に追加の応力を加える。
【００５５】
結合ダクト４７がディフューザキャップ４１のベクトル面積に対応するベクトル面積Ａを有する場合、膨張式ダクト４３に直接加わる圧力ＦΔP（Ｄｕｃｔ）は、ブロワ９に加わる圧力ＦΔP（Ｂｌｏｗｅｒ）と実質的に同じ大きさになり、結果として得られる留めリング５１に加わる応力は大きくなる場合がある。この問題を解決するために、結合ダクト４７の直径は、むしろ結合ダクト４７のベクトル面積ａの大きさがディフューザキャップ４１のベクトル面積Ａの大きさよりも小さくなるように設定される。従って、結合ダクト４７は、ディフューザキャップ４１の面積に比べて小さな面積の固定オリフィス４７ａを有効に規定する（本質的に、空気流に対する意図的な制限である）。これは、膨張式ダクト４３に直接加わる圧力ＦΔP（Ｄｕｃｔ）の大きさを、ブロワ９に直接加わる圧力ＦΔP（Ｂｌｏｗｅｒ）に比べて低減するという利点がある。この低減は、ディフューザ面積Ａに無関係に達成され、結果的にブロワ仕様の一部として最適化することができる。
【００５６】
また、噴出推力ＦΔM（Ｄｕｃｔ）は、膨張式マウント４３を上向きに押しやる傾向があるはずである。しかしながら、噴出推力ＦΔM（Ｄｕｃｔ）の大きさは、一般に比較的小さく、オリフィス面積の広い範囲に対してほとんど一定のままである。その結果、膨張式マウント４３に加わる圧力ＦΔP（Ｄｕｃｔ）の低減は、一般に、膨張式マウント４３に加わる噴出推力ＦΔM（Ｄｕｃｔ）の何らの対応する増大なしに得ることができる。このことは、オリフィス面積ａの関数としてＦΔP（Ｄｕｃｔ）及びＦΔM（Ｄｕｃｔ）を示す図１７から理解することができる。
【００５７】
非常に小さなオリフィス面積（ａ＜ａ１）において、噴出推力ＦΔM（Ｄｕｃｔ）が大きくなる場合がある。留めリング５１に加わる応力を低減することだけを意図する場合、圧力ＦΔP（Ｄｕｃｔ）のいかなる低減も、対応する噴出推力ＦΔM（Ｄｕｃｔ）の増大によって相殺されないように留意する必要がある。それにもかかわらず、圧力ＦΔP（Ｄｕｃｔ）の低減自体は、これらの小さなオリフィス面積でも好都合に得ることができる。
【符号の説明】
【００５８】
１  手乾燥装置
３  空気出口
５  空気出口
９  ブロワ
１３  吸気口
１５  吸気口
１９  フィルタ
２７  円形開口
２９  矩形開口
３１  垂直方向スロット
【図１】
2014100578.tif 000003
【図２】
2014100578.tif 000004
【図３】
2014100578.tif 000005
【図４】
2014100578.tif 000006
【図５】
2014100578.tif 000007
【図６】
2014100578.tif 000008
【図７】
2014100578.tif 000009
【図８】
2014100578.tif 000010
【図９】
2014100578.tif 000011
【図１０】
2014100578.tif 000012
【図１１】
2014100578.tif 000013
【図１２】
2014100578.tif 000014
【図１３】
2014100578.tif 000015
【図１４】
2014100578.tif 000016
【図１５ａ】
2014100578.tif 000017
【図１５ｂ】
2014100578.tif 000018
【図１６ａ】
2014100578.tif 000019
【図１６ｂ】
2014100578.tif 000020
【図１７】
2014100578.tif 000021